(57)【要約】【課題】多切子面付き取外し可能な磁気的ヒンジ装置を提供する。【解決手段】主アイウエアおよび補助アイウエアのような物体を回転可能に結合するための取外し可能な磁気的ヒンジ装置は互いに磁気的に結合される第１および第２ヒンジ部材を有している。第１ヒンジ部材は、第１物体と関連されており、そして少なくとも６つの概ね平らな外向きの切子面を有している。第２ヒンジ部材は、第２物体と関連されており、そして第１ヒンジ部材のすべてより少ない数の外向きの切子面の上に取外し可能に重ねるように構成された複数の概ね平らな内向きの切子面を有している。磁気的結合により、第１ヒンジ部材に対する第２ヒンジ部材の選択的な区分式回転が行われる。【選択図】図２
2007505280.tif 000002
【特許請求の範囲】
【請求項１】
第１物体を第２物体に回転可能に連結するための磁気的ヒンジ装置であって、
第１物体と関連されていて、ヒンジ軸線を定める第１ヒンジ部材を備えており、この第１ヒンジ部材はヒンジ軸線のまわりに配置された少なくとも６つの平らな外向きの切子面を有しており、
第２物体と関連されており、そしてすべてより少ない数の外向きの切子面の上に重なるように形成された複数の概ね平らな内向きの切子面を有している第２ヒンジ部材と、
第２ヒンジ部材を第１ヒンジ部材に連結し、且つヒンジ軸線のまわりの第１ヒンジ部材に対する第２ヒンジ部材の選択的な区分式回転を許容するために、切子面のうちの少なくとも幾つかと関連された磁場と、を備えている、磁気的ヒンジ装置。
【請求項２】
第２ヒンジ部材は第１ヒンジ部材のものの少なくとも半分の数の切子面を有している、請求項１に記載の装置。
【請求項３】
第１ヒンジ部材の外面のほぼ１８０度に第２ヒンジ部材が重ねられている、請求項２に記載の装置。
【請求項４】
第１ヒンジ部材は六角形よりなり、第２ヒンジ部材は六角形の３つの外向きの切子面の上に同時に重なっている３つの切子面を有している、請求項３に記載の装置。
【請求項５】
第１ヒンジ部材の切子面のうちの少なくとも複数には、第２ヒンジ部材の切子面との磁気的結合のための磁石が埋設されている、請求項１に記載の装置。
【請求項６】
第２ヒンジ部材の切子面のうちの少なくとも複数には、第１ヒンジ部材の切子面との磁気的結合のための磁石が埋設されている、請求項１に記載の装置。
【請求項７】
第１および第２ヒンジ部材の切子面のうちの少なくとも複数には、磁石が埋設されており、これらの切子面が互いに接触状態に設置されると、第１および第２ヒンジ部材の磁石が互いに結合するようになっている、請求項１に記載の装置。
【請求項８】
第１ヒンジ部材は磁性である、請求項１に記載の装置。
【請求項９】
第２ヒンジ部材は磁性である、請求項１に記載の装置。
【請求項１０】
第１物体は主アイウエアよりなり、第２物体は主アイウエアに取外し可能に且つ回転可能に連結される補助アイウエアよりなる、請求項１に記載の装置。
【請求項１１】
第１物体は主アイウエアに取外し可能に取付けられるように構成されたサドルを有するクロスバーを備えている、請求項１に記載の装置。
【請求項１２】
サドルは主アイウエアと摩擦係合可能である、請求項１１に記載の装置。
【請求項１３】
サドルの内面に配置され、主アイウエアのフレームに摩擦係合するための把持材料を有している請求項１１に記載の装置。
【請求項１４】
サドルはクロスバーに枢着されている、請求項１１に記載の装置。
【請求項１５】
第２物体は補助アイウエアよりなる、請求項１１に記載の装置。
【請求項１６】
クロスバーは、複数の補助アイウエアを主アイウエアに枢着することができるように、互いから間隔を隔てられた複数の第１ヒンジを支持する伸張部を有している、請求項１５に記載の装置。
【請求項１７】
補助アイウエアを主アイウエアに回転可能に且つ取外し可能に結合するための磁気的ヒンジ装置であって、
主アイウエアのフレームに連結されたクロスバーと、
クロスバーと関連されていて、ヒンジ軸線を定める第１ヒンジ部材と、を備えており、この第１ヒンジ部材はヒンジ軸線のまわりに配置された少なくとも６つの平らな外向きの切子面を有しており、
補助アイウエアと関連されており、そして第１ヒンジ部材のすべてより少ない数の外向きの切子面の上に重なるように形成された複数の概ね平らな内向きの切子面を有している第２ヒンジ部材と、
第２ヒンジ部材を第１ヒンジ部材に連結し、且つヒンジ軸線のまわりの第１ヒンジ部材に対する第２ヒンジ部材の選択的な区分式回転を許容するために、切子面のうちの少なくとも幾つかと関連された磁場と、を備えている、磁気的ヒンジ装置。
【請求項１８】
第２ヒンジ部材は第１ヒンジ部材の外面のほぼ１８０度の上に重なるように第１ヒンジ部材のものの少なくとも半分の数の切子面を有している、請求項１７に記載の装置。
【請求項１９】
第１ヒンジ部材は六角形よりなり、第２ヒンジ部材は六角形の３つの外向きの切子面の上に同時に重なっている３つの切子面を有している、請求項１７に記載の装置。
【請求項２０】
第１ヒンジ部材は磁性である、請求項１７に記載の装置。
【請求項２１】
第１ヒンジ部材の切子面のうちの少なくとも複数には、第２ヒンジ部材の切子面との磁気的結合のための磁石が埋設されている、請求項２０に記載の装置。
【請求項２２】
第２ヒンジ部材は磁性である、請求項１７に記載の装置。
【請求項２３】
第２ヒンジ部材の切子面のうちの少なくとも複数には、第１ヒンジ部材の切子面との磁気的結合のための磁石が埋設されている、請求項２２に記載の装置。
【請求項２４】
クロスバーに取付けられ、クロスバーを主アイウエアに取外し可能に摩擦で取付けるためのサドルを有している請求項１７に記載の装置。
【請求項２５】
サドルの内面に配置され、主アイウエアのフレームに摩擦係合するための把持材料を有している請求項２４に記載の装置。
【請求項２６】
サドルはクロスバーに枢着されている、請求項２４に記載の装置。
【請求項２７】
クロスバーは、複数の補助アイウエアを主アイウエアに枢着することができるように、互いから間隔を隔てられた複数の第１ヒンジを支持する伸張部を有している、請求項１７に記載の装置。
【発明の詳細な説明】
【技術分野】
【０００１】
本発明は一般に眼鏡装置に関する。より詳細には、本発明は、特に、サングラスレンズのような補助眼鏡または他のアイウエアを主眼鏡に取付けるようになっている磁気的ヒンジ装置に関する。
【背景技術】
【０００２】
人は、しばしば、近視または遠視である視力を修正するために眼鏡をかける。眼鏡はレンズが嵌められている主フレームを有している。概ね同じ構成の保護レンズ眼鏡もまた利用可能である。
日なたにいるとき、サングラスのような補助アイウエアが望ましいときのような場合がある。主眼鏡のリムまたはフレームにクリップ留めされるクリップ留めサンシェードが既存している。ほとんどのこのようなサンシェードは、代表的には、野外から建物などに入るときのように、上方に視界からはずれるように回動されることができない。そのかわりに、サンシェードを完全に取外し、眼鏡着用者のポケットなどにしまい込まなければならない。
【０００３】
この分野における進歩により、サンシェードまたは補助レンズを眼鏡に取外し可能に取付けるために使用される磁性部材が使用されるようになってきた。しかしながら、磁気的連結部は、代表的には、使用者がサンシェード眼鏡レンズから離れる方向にはじき上げることができるように回動可能に構成されていない。
更に他の従来技術の補助アイウエアは安定な連結のための特別に製造された眼鏡を必要としている。或いは、補助アイシェードは、例えば、ねじ等を使用して眼鏡に半永久的に取付けられなければならない。もちろん、これにより、眼鏡着用者はサンシェードまたは補助レンズを有利に取外すことができる。
【０００４】
前述の欠点に加えて、従来技術の補助アイウエアは、一般に、任意の１枚のアイウエアに連結されるようになっていないと言う欠点を有している。すなわち、従来技術の補助アイウエアは万能の連結手段を有していない。その代わり、従来技術の補助アイウエアは眼鏡、例えば、通常は性質が非常に特殊である主眼鏡に対するクリップまたは取付具に頼っている。全く特殊でない場合、補助アイウエアは、アイウエアのほんの幾つかのスタイルに制限するようにして主アイウエアに連結すると言う欠点がある。これは、フレームの「鼻橋梁」部分と、異なるスタイル間で劇的に変化する主アイウエアのフレームのサイズとの差に起因している。
【０００５】
補助アイウエアを主アイウエアと取外し可能に且つ回転可能に関連させることに加えて、物体間の取外し可能な連結が望ましい他の場合もある。特に、取外し可能且つ回転可能な連結が好適であるか或いは必要でさえある場合がある。
従って、２つの物体を取外し可能に連結し、且つこれらの物体が互いに対して少なくとも部分的に回転されるようにするヒンジ装置の継続した必要性がある。また、一対の既存の眼鏡に対して容易に取付けたり取外したりすることができる補助レンズまたはアイシェードの継続した必要性がある。このような補助アイウエアは、性質が万能であるように事実上任意の主アイウエアに取外し可能に連結されることが可能であるべきである。好ましくは、このような補助レンズは通常の眼鏡のレンズとの整合が外れるように回動されることが可能であるべきである。
【発明の開示】
【発明が解決しようとする課題】
【０００６】
本発明はこれらの必要性を満たし、他の関連利点をもたらす。
【課題を解決するための手段】
【０００７】
本発明は、第１および第２物体を取外し可能に且つ回転可能に連結するための磁気的ヒンジ装置にある。この装置は、一般に、第１物体と関連されていて、ヒンジ軸線を定める第１ヒンジ部材を備えており、この第１ヒンジ部材はヒンジ軸線のまわりに配置された少なくとも６つの概ね平らな外向きの切子面を有している。
第２ヒンジ部材が第２物体と関連されており、この第２ヒンジ部材は第１ヒンジ部材のすべてより少ない数の外向きの切子面の上に重なるように形成された複数の概ね平らな内向きの切子面を有している。好ましくは、第２ヒンジ部材は第１ヒンジ部材の外面のほぼ１８０°に重なるように第１ヒンジ部材のものの少なくとも半分の数の切子面を有している。特に好適な実施形態では、第１ヒンジ部材は六角形よりなり、第２ヒンジ部材は、任意の所定の時点で六角形の３つの外向きの切子面の上に重なっている３つの切子面を有している。
【０００８】
第２ヒンジ部材を第１ヒンジ部材に連結し、且つヒンジ軸線のまわりの第１ヒンジ部材に対する第２ヒンジ部材の選択的な区分式回転を許容するために、磁場が切子面のうちの少なくとも幾つかと関連されている。一実施形態では、第１ヒンジ部材は磁性である。第１ヒンジ部材の切子面のうちの少なくとも複数には、第２ヒンジ部材の切子面との磁気的結合のための磁石が埋設されるのがよい。他の実施形態では、第２ヒンジ部材は磁性である。第２ヒンジ部材の切子面のうちの少なくとも複数には、第１ヒンジ部材の切子面との磁気的結合のための磁石が埋設されているのがよい。変更例として、第１および第２ヒンジ部材両方の切子面のうちの複数には、磁石が埋設されており、これらの切子面が互いに接触状態に設置されると、第１および第２ヒンジ部材の磁石が互いに結合するようになっている。特に好適な実施形態では、第２ヒンジ部材の切子面は、これらと関連されていて、第１ヒンジの金属切子面を磁気的に引付ける磁石を有している。
【０００９】
本発明の磁気的ヒンジ装置は特に万能アイウエア取付け装置に使用されるようになっている。この実施形態では、第１物体は主アイウエアに摩擦的に取付けられるように構成されたサドルを有するクロスバーを備えている。代表的には、サドルの内面には、主アイウエアのフレームに摩擦係合するための把持材料が配置されている。第２物体はサンシェード、拡大レンズなどのような補助アイウエアよりなる。第１および第２ヒンジ部材の連結により、補助アイウエアを主アイウエアに取外し可能に連結し、主アイウエアレンズの視界の中へおよび外へ回転させることができる。
更に他の実施形態では、クロスバーは互いから間隔隔てられた複数の第１ヒンジを支持する伸張部を有している。各補助アイウエアの夫々の第２ヒンジを伸張における第１ヒンジのうちの１つの取付けることにより、複数のアイウエアを主アイウエアに枢着することができる。
本発明の他の特徴および利点は、例として本発明の原理を示す添付図面と関連して行なわれる下記のより詳細な説明から明らかになるであろう。
【発明を実施するための最良の形態】
【００１０】
例示のために図１ないし図２１に示すように、本発明は、種々の実施形態において、主眼鏡のフレームに補助アイウエアを取付けるための万能眼鏡取付具にある。
図１および図２を参照すると、本発明を具体化する万能眼鏡取付具が、一対のアイウエア１０、代表的には、１つまたはそれ以上のレンズ１４を支持し、且つ鼻橋梁部分１６と、細長い耳取付部１８とを有するフレーム１２を有する眼鏡に取付けられて示されている。この万能眼鏡取付具は、眼鏡１０のフレーム１２に取付けられたドッキングヘッド２４に取外し可能に取付けられているクリップ２２を有する補助レンズ２０を備えている。補助レンズ２０はサンシールドのような単一のレンズとして示されているが、補助レンズ２０が異なる形状および用途のものであることができることは理解すべきである。例えば、補助レンズ２０は保護シールドまたはアイウエアよりなることができる。また、補助レンズ２０は主アイウエア１０と同様なフレーム内の１つまたはそれ以上のレンズよりなることもできる。保持レンズ２０の選択は使用者の要求により決まる。
【００１１】
図１および図２に示すように、好ましくは、クリップ２２は、アイウエアまたはレンズ２０が主アイウエア１０の１つまたはそれ以上のレンズ１４と概ね整合されるか、或いは主アイウエア１０のレンズ１４との整合から外れるように上方に回動される使用中の位置と非使用位置との間でアイウエアまたはレンズ２０を移動させることができるように補助アイウエア２０に枢着されている。
図３ないし図５を参照すると、ドッキングヘッド２４は一対のサドル２６を有しており、これらのサドルは主アイウエアのフレーム１２に取外し可能に取付けられるように構成されており、特に、サドル２６はレンズ１４を包囲するフレーム１２の上部分に取付けられるように構成されている。図５に示すように、サドル２６は、アイウエア１０のフレーム１２を損傷されることから保護するために内面をライニングし、ならびに異なる厚さのフレーム１２を受入れるべき圧縮性材料をなしているクッション把持材料２８を有するＵ字形の形状のものである。図９に示すように、サドル２６は、異なる厚さのフレーム１２を受入れために使用されることができ、且つサドル２６を眼鏡フレーム１２に締付けて係止するのに役立つスイングアーム３２を有してもよい。サドル２６を主アイウエア１０に設置し、次いで回動させてフレーム１２に対して閉じてドッキングヘッド２４を適所に確実に係止すると、スイングアーム３２は外される。ドッキングヘッド２４を取外すためには、逆の工程が取られる。
【００１２】
代表的には、サドル２６はクロスビーム３０と連結されている。このクロスビーム３０はクリップ２２を取外し可能に取付けるための手段を有している。かかる手段は、図１ないし図９に示される実施形態では、クロスビームに形成され、クリップ３２から延びているトング３６を受入れるように形成されたスロット３４よりなる。
図６ないし図８を参照すると、ドッキングヘッド２４のスロットとのクリップ３２のトング３６の摩擦係合を示している横断面図が示されている。ドッキングヘッド２４は、図示していないが、トング３６を係止するように受け部材、解放可能な受け部材などを有してもよい。重要な面は、クリップ２２をドッキングヘッド２４に取外し可能に取付け、かくして補助アイウエア２０を主アイウエア１０に取外し可能に取付けることができると言う点である。図示のように、クリップ２２は、トング３６と、アイウエア２０のために補助レンズに取付けされたクリップ２２の部分との間の回動を許容するためにヒンジ部分３８を有している。クリップ２２は、図示のピン４０を含めて任意の公知の手段により、或いは接着剤、溶接または他の方法により補助アイウエア２０に取付けられることができる。ヒンジ３８を組み入れたことにより、図示して以上で説明したように、補助アイウエアレンズを主アイウエア１０のレンズ１４の前方でレンズ１４から離れる方向に回動させることが可能である。
【００１３】
図１０ないし図１２を参照すると、本発明の他の実施形態が示されており、この実施形態では、補助アイウエア２０に枢着されているクリップ４２はドッキングヘッド２４の突起４６と摩擦係合する突起４４を有している。かかる突起４４または４６はスナップ嵌め連結部などを形成してもよい。一旦係合されると、補助レンズを、前述のように且つ図１１および図１２に示すように、枢動させることができる。かくして、図示し且つ以上で述べた広い概念により、クリップおよびドッキングヘッドを使用して補助アイウエアおよび主アイウエア１０を取外し可能に取付けるために異なる機構および設計が実施されてもよいことは当業者にはわかるであろう。図１３ないし図１６を参照すると、本発明の更に他の実施形態が示されている。補助レンズまたはアイウエア２０には、クリップ４８が取付けられており、このクリップ４８は、補助アイウエア２０に固定された部分と、ヒンジ５４でクリップ４８に枢着されている任意の開放端部付きの細長いスロット５２を構成するボディ５０とを有している。ここでより十分に説明するように、ボディ５０はこれをドッキングヘッド５０に係止するためのスイングアーム３２を有してもよい。
【００１４】
図１４ないし図１６を詳細に参照すると、ドッキングヘッド５６は互いに摺動可能に連結される２つの部材５８、６０で構成されている。これらの摺動可能な部材５８、６０は主アイウエアフレーム１２の鼻橋梁部分１６を受入れるための開放面凹部またはスロットを有している。部材５８、６０は、圧縮されて鼻橋梁部分１６に設置されると、フレーム１２のレンズ支持部分に向けて外方に自然に拡張するように、外方に或いは拡張位置に付勢されている。このような付勢手段は摺動可能な部材５８、６０と関連された圧縮ばねよりなることができる。ドッキングヘッド５６が鼻橋梁部分１６に固着されると、ボディ５０は、ドッキングヘッド５６をスロット５２に挿入することにより鼻橋梁部分１６に取付けられる。次いで、スイングアーム３２を使用してクリップ４８および補助アイウエア２０をドッキングヘッド５６に固着し得る。すると、前述のように、補助アイウエア２０を上方および下方に回動させることができる。
【００１５】
図１７ないし図２１を参照すると、本発明の更に他の実施形態が示されており、この実施形態では、補助アイウエア２０に取付けられた継手６２がサドル６４に磁気的に取付けられている。適切な間隔を確保するために、代表的には、クロスバー６６がサドル６４を相互連結している。サドル６４は前側切子面６８および後側切子面７０を有している。各切子面は、磁石７２が埋設されるか、或いは磁性を有する斜めにずれた面を有している。継手６２は傾斜面と本質的に合うように構成されている。好ましくは、継手６２は、また、サドル６４の前側および後側切子面６８、７０の磁石７２に磁気的に取付けられる一対の磁石７２を有している。
図２０および図２１に示すように、補助アイウエア２０がレンズ１４の前方にあることを望む場合、継手５２をサドル６４の前側切子面６８に磁気的に取付ける。継手６２とサドル６４との磁気的引付けは補助アイウエア２０を主アイウエア１０に対して適所に保持するようなものである。補助アイウエアまたはレンズ２０は、これがレンズ１４との整合から外れて上方に延び、それでも眼鏡１０の着用者の額と接触していないように、継手６２を前側切子面６８から後側切子面７０まで移動させることにより移動されてレンズ１４との整合から外れることができる。サドル６４が眼鏡１０のフレーム１２に取外し可能に取付けられているので、アイウエア２０を他のアイウエアに同様に取付けることができるように、これらのサドル６４を取外して他の一対の主アイウエアの挿入することができる。
【００１６】
図２２ないし図２８を参照すると、更に他の実施形態では、摩擦係合され、接着剤などで適所に接合されるように孔８２に挿通される複数のピン８０を有するブラケット７８を使用して、一対の補助レンズ７４、７６が互いに連結される。ヒンジ部材８４が、例えば、これをブラケット７８に固定するか、或いは他の方法で取付けることによりブラケット７８と関連されている。クリップ、アイウエア２０への直接接合などのような他の手段により、ヒンジ部材８４を補助アイウエア２０に取付けることができることはわかるであろう。
図２３を参照すると、ヒンジ部材８４は、複数、図示の実施の形態では、６０°だけ互いから傾斜されている計３つの概ね平らな内向きの切子面８６を有している。
【００１７】
図２４を参照すると、前述のようなフレーム１２および構成部品１４ないし１８を有する図示の眼鏡１０のような主アイウエアもまた、これと関連されたヒンジ部材８８を有している。図２４に示すように、ヒンジ部材８８は眼鏡１０の２つのレンズ１４のフレーム部材１２間に延びているクロスビーム９０に取付けられている。ヒンジ部材８８は少なくとも６つの概ね平らな外向きの切子面９２を有するように多切子面付きである。特に好適な実施形態では、図示のように、このヒンジ部材８８は６つの概ね平らな外向きの切子面９２を有する六角形よりなる。図２４および図２５に示すように、ヒンジ部材８４、８８は、補助ヒンジ８４の内向き切子面８６が、図２５ないし図２８にしめすように、主ヒンジ８８の複数の外向き切子面９２の上に重なるように構成されるようにして、互いに合わさるように補っている。
【００１８】
ヒンジ部材８４、８８は互いに磁気的に引付けられる。すなわち、切子面８６、９２が互いに磁気的に結合されるように、切子面８６または９２のうちの少なくとも幾つかと関連された磁場がある。これは、様々な方法で達成されることができる。例えば、切子面８６または９２は、図１８ないし図２１と関連して前述したように、これに埋設された磁石を有することができる。すなわち、切子面８６または９２には、鉄系金属などのような適切な材料よりなる向い合ったヒンジ部材８４または８８を引付けて磁気的に結合する磁石が埋設されている。磁石は、切子面８６、９２の両方に挿入され、そして互いに引付けられるようにそれらの反対の極性が外方に向くように配置されることができる。更に他の変更例では、ヒンジ部材８４またはヒンジ部材８８は磁石または磁化材料で構成されており、この磁石または磁化材料が向い合ったヒンジ部材８４、９９を磁気的に引付けて結合するようになっている。しかしながら、特に好適な実施形態では、ヒンジ部材８４の切子面８６はその平らな切子面に固定された磁性材料または磁石９４を有している。これらの磁石９４は、ヒンジ部材８４、８８の切子面８６、９２間に磁場および引付けを生じてヒンジ部材８４、８８を互いに結合する。
【００１９】
図２６ないし図２８を参照すると、ヒンジ部材８４、８８の多切子面付き性質と、補助ヒンジ部材８４の内向き切子面８６の数が主ヒンジ部材８８の外向き切子面９２の数より少ないこととに因り、ヒンジ部材８４、８８は区分式で選択的に回転されることが可能である。これは図２７および図２８に詳細に示されており、この場合、完全な１８０°の回転が達成されるまで、ヒンジ８８の前側の３つの外向き切子面９２を、この場合、各セグメントで６０°、区分式で移動させて補助アイウエア２０を主アイウエア１０の視界から外れて上方に回動させることができる。もちろん、完全な３６０°の回転もまた可能であり、この場合、各セグメントの回転では６０°である。しかしながら、このヒンジ装置の好適な実施例では、補助アイウエア２０は、眼鏡レンズ１４のすぐ前方の使用中位置と、眼鏡１０のレンズ１４の上方の非使用位置との間で移動されるように計１８０°、回転されるだけでよい。
【００２０】
主ヒンジ８８の外向き切子面９２の数を増やすことができ、例えば、８個、１０個、１２個であることができることは、当業者にはわかるであろう。代表的には、補助ヒンジ部材８４は、ヒンジ部材８４、８８を互いに結合すると、ヒンジ部材８８の外面のほぼ１８０°の上にヒンジ部材８４が重なるように、ほぼ半分の数の内向き切子面８６を有する。これにより、補助アイウエア２０を主アイウエア１０のレンズ１４に対して広角度で設置し得る。かくして、ヒンジ部材８８が８角形であれば、ヒンジ８８は、好ましくは、４つの概ね平らな内向き切子面８６を有する。いずれの場合にも、ヒンジ部材８４、８８が互いに対してしっかり保持され、それでも、ヒンジ部材８８のヒンジ軸線のまわりに互いに対して回転されることが可能であるように、ヒンジ部材８４、８８間の適切な磁気的結合および接触があるべきである。
【００２１】
多くの眼鏡フレーム１２はクロスビーム９０を有していない。フレームがクロスビームを有する場合、ヒンジ８８をクロスビームに直接結合することができる。フレームがクロスビームを有していない場合、クロスビーム９０を、例えば、接着剤、スポット溶接または任意の他の適切な手段によりフレーム１２に取付けることができる。クロスビーム９０およびヒンジ部材８８は互いに一体に構成されることができる。図２９ないし図３１を参照すると、眼鏡フレーム１２は、鼻橋梁部１６の上方でレンズ１４間に延びているクロスビーム９６を有し、且つ取付けられるか、或いは一体に形成されたヒンジ部材８８を有するように構成されることができる。このようにして、適切なレンズ１４をアイウエアのフレームに挿入することができ、そして前述のように、ヒンジ部材８４、８８間の磁気的結合および連結により、補助アイウエア２０をフレーム１２に取外し可能且つ回転可能に結合することができる。
【００２２】
図３２ないし図３４を参照すると、クロスバー無しでフレーム１２を有する一対の眼鏡１０が示されている。多くの眼鏡は、この構成を有しており、そして本発明に適応するように改善されなければならない。既存のアイウエア１０を受入れるために、取外し可能なクロスバー９８が設けられる。この取外し可能なクロスバー９８は、前述のように、これに取付けられるか、或いはより代表的には、これと一体に形成されたヒンジ部材を有している。クロスバー９８の端部には、サドル１００が取付けられるか、或いは形成され、これらのサドル１００は前述のように眼鏡フレーム１２の一部に摩擦嵌めされるようになっている。このように、サドル１００は、レンズ１４の頂部分、或る場合には、レンズ自身を包囲して鼻橋梁部１６の両側のフレーム１２の上部分を受入れるのに十分な寸法を有する開放チャンネルを構成する逆Ｕ字形の構造体である。好ましくは、サドル１００は、引掻きから守るのに役立ち、且つサドル１００とフレーム１２との間の掴みを高めるのに役立つことができる弾性材料または同様な材料を有している。補助アイウエア２０のヒンジ８４と主アイウエア１０に取付けられたクロスバー９８のヒンジ８８との間の相互作用は前述のように作用する。
【００２３】
図３５ないし図３７を参照すると、特に好適な実施形態では、サドル１００は、例えばヒンジ１０２または他の間接接合構造体でクロスバー９８に回動可能に連結されている。これにより、眼鏡１０の設計に応じてより楕円形、円形、正方形などであってもよい異なる形状の眼鏡フレームにクロスバー９８を嵌めることができる。しかしながら、レンズ１４間の距離は、レンズ１４を使用者の目のすぐ前方に置かなければならないので、大人にとって、おおよそ一貫している。サドル１００の関節運動性または回動性により、同じクロスビーム９８を使用しながら、鼻橋梁部１６との間の僅かな距離の差またはより詳細にはフレーム１２の形状の差を可能にする。
【００２４】
図３８ないし図４０を参照すると、宝石職人、外科医などが使用するのに特に適している更に他の実施形態が示されており、この実施形態では、複数の補助アイウエア２０、２０２、２０４などを有することが望ましであろう。例えば、外科医の場合、外科医は、所定のときに、特定の拡大を必要とし、他のときに、その拡大を増減することを必要とすることがある。本発明は、クロスビーム９０、９６または９８から延びていて、複数のヒンジ部材８８、８８０−８８４を支持する伸張バー１０４を設けることにより、この必要性を満たす。図３８ないし図４０を参照すると、伸張バー１０４は、各々がヒンジ部材８８、８８０−８８４を支持する横桟が間に延びている傾斜または湾曲バーよりなってもよい。ヒンジ部材８８、８８０−８８４の角度および間隔により、多数の補助アイウエア２０、２０２−２０６は主アイウエア１０と取外し可能に関連されることができる。図４０に示すように、補助アイウエア２０のヒンジ部材８４は以上で述べ且つ図示したように、主ヒンジ部材８８９と連結されている。第２すなわち更に追加の補助アイウエア２０、２０２−２０６が同様にしてヒンジ部材８８０−８８４に連結されることができ、何故なら、各々がそれら自身のヒンジ部材８８０−８８４を有しているからである。第２アイウエア２０、２０２−２０６は主アイウエア１０に取外し可能に連結されるだけではなく、拡大を増減するように主アイウエア１０のレンズ１４の視界から外れて区分式に回転されることが可能である。溶接などの目的で補助アイウエア２０のレンズの高い陰影または不透明度のような他の用途も同様に実現可能である。
【００２５】
かくして、当業者は、本発明が眼鏡をいずれかの方法で変更しなければならないことなしに既存の一対の眼鏡または他の主アイウエアのための万能眼鏡取付具を提供することをわかるであろう。更に、本発明の万能眼鏡取付具によれば、サンシェードのような補助アイウエア２０を主アイウエア１０に対して容易に取付けたり、取外したりすることができる。しかも、クリップおよび補助アイウエア２０の回動連結により、補助アイウエア２０を回動させて視線上にないように主アイウエアのレンズとの整合から外すことができる。かかる移動によれば、暗い部屋に入ることに対処するために、サンシェードを眼鏡の前方に眼鏡から離れる方向に移動させ得るだけではなく、他の使用も可能にする。例えば、補助アイウエア２０は、主アイウエア１０のレンズ１４と共に複焦点レンズとして役立つ一対の処方レンズよりなってもよい。補助アイウエアレンズ２０は外科医、歯科医、宝石職人などが使用するための拡大レンズであることができる。かくして、本発明の万能眼鏡取付具は様々な設定で様々な異なる用途のために使用されることができる。
【００２６】
ヒンジ部材８４、８８が前述のように互いに対して磁気的に結合され、且つ選択的に回転可能である磁気的ヒンジ装置を図示および前述の好適な実施の形態に使用することができるだけではなく、アイウエア以外の用途にも使用することができることはわかるであろう。実際、２つの物体を互いに取外し可能に且つ回転可能に結合しなければならないときはいつも、磁気的ヒンジ装置を有利に組み入れることができることは当業者にはわかるであろう。かくして、本発明は図示および前述の万能眼鏡取付具の具体例に必ずしも制限されるものではない。
幾つかの実施形態を例示の目的で詳細に説明したが、本発明の範囲および精神から逸脱することなしに種々の変更例を行なうことができる。従って、本発明は添付の請求項による以外、制限されるものではない。
【図面の簡単な説明】
【００２７】
【図１】本発明による通常の眼鏡のレンズに配置された補助レンズの正面斜視図である。
【図２】通常の眼鏡のレンズから上方に離れる方向に回動される補助アイウエアを示す図１と同様な正面斜視図である。
【図３】本発明による通常の眼鏡のフレームに取付けられたドッキングヘッドを示す正面斜視図である。
【図４】主眼鏡と、ドッキングヘッドと、ドッキングヘッドに連結可能である補助アイウエアに枢着されたクリップとの部分分解斜視図である。
【図５】ドッキングヘッドを主眼鏡フレームに取外し可能に取付けるために使用されるドッキングヘッドのサドルの好適な形状を示している概ね図４の線５−５に沿った横断面図である。
【図６】本発明によるドッキングヘッドのスロットに挿入可能なクリップのトングを示す横断面図である。
【図７】ドッキングヘッドの取付けられた補助アイウエアを使用中位置に示している概ね図１の線７−７に沿った横断面図である。
【図８】主アイウエアのレンズから上方に離れる方向に回動されている補助アイウエアを示している概ね図２の線８−８に沿った横断面図である。
【図９】ドッキングヘッドが、ドッキングヘッドを係止すべくスイングアームと共に本発明を具体化する主アイウエアの部分分解後面斜視図である。
【図１０】本発明による補助アイウエアおよび主アイウエアを取外し可能に連結するのに使用される更に他の取付け気候の部分分解斜視図である。
【図１１】主アイウエアに取付けられて非使用位置へ移動された補助アイウエアを示す正面斜視図である。
【図１２】使用中位置へ下方に回動された補助アイウエアを示す正面斜視図である。
【図１３】スイングアームと共に本発明を具体化するクリップを有する補助アイウエアの後面斜視図である。
【図１４】本発明を具体化するドッキングヘッドが装着された主アイウエアの正面図である。
【図１５】主アイウエアのフレームの鼻橋梁部分上に拡張しているドッキングヘッドを示している図１４の正面図である。
【図１６】ドッキングヘッドが完全に拡張されて図１３の補助アイウエアのクリップに取付けられる用意のできている図１５と同様な正面立面図である。
【図１７】本発明を具体化する更に他の眼鏡取付具の部分分解斜視図である。
【図１８】補助アイウエアが使用中位置で主アイウエアに取付けられている図１７と同様な正面斜視図である。
【図１９】補助アイウエアが主アイウエアのレンズから離れる方向に回動された図１８と同様な正面斜視図である。
【図２０】使用中位置における補助アイウエアおよび主アイウエアの磁気的取付けを示している概ね図１８の線２０−２０に沿った部分断片化横断面図である。
【図２１】異なる磁気的取付け点により主アイウエアのレンズから回動されている補助アイウエアを示している概ね図１９の線２１−２１に沿った部分断片化横断面図である。
【図２２】ブラケットに設けられたヒンジ部材および一対の補助レンズの後面斜視図である。
【図２３】ヒンジ部材組立体に取付けられた補助レンズの後面斜視図である。
【図２４】図２３の補助アイウエアと、関連されたヒンジ部材を有する主アイウエアとの部分分解正面斜視図である。
【図２５】ヒンジ部材により主アイウエアに磁気的に結合された補助アイウエアの正面斜視図である。
【図２６】上方に回動されて非使用位置にある補助アイウエアを示している正面斜視図である。
【図２７】本発明による第１および第２ヒンジ部材の磁気的結合を示している概ね図２５の線２７−２７に沿った横断面図である。
【図２８】使用位置から非使用位置への補助アイウエアの区分式移動を示す概ね図２６の線２８−２８に沿った横断面図である。
【図２９】各々が磁気的ヒンジ部材を有する補助アイウエアおよび主アイウエアの部分分解正面斜視図である。
【図３０】ヒンジ部材により主アイウエアに結合された補助アイウエアを示す正面斜視図である。
【図３１】本発明による非使用位置へ上方に回動された補助アイウエアを示す正面斜視図である。
【図３２】ヒンジ部材と、他のヒンジ部材を有するクロスバーと、主アイウエアのフレームへの取外し可能な取付けのためのサドルとを有する補助アイウエアの部分分解正面斜視図である。
【図３３】主アイウエアに取付けられたクロスバーのヒンジ部材に磁気的に結合された補助アイウエアを使用中位置に示す正面斜視図である。
【図３４】非使用位置へ上方に回動された補助アイウエアを示す図３３と同様な正面斜視図である。
【図３５】本発明によるヒンジ部材および関節接合サドルを有するクロスバーの斜視図である。
【図３６】ヒンジ部材と、他のヒンジ部材を有するクロスバーと、関節接合サドルとを有する補助アイウエアおよび主アイウエアの部分分解正面斜視図である。
【図３７】取付けられた主アイウエアと、クロスバーと、補助アイウエアとの斜視図である。
【図３８】多数のヒンジ部材を保持する伸張部を有する主アイウエアと、分解された仮想での第１補助アイウエアおよび第２補助アイウエアとの部分分解正面斜視図である。
【図３９】本発明による磁気的ヒンジにより主アイウエアに取外し可能且つ回転可能に連結された複数の補助アイウエアの正面斜視図である。
【図４０】主アイウエアおよび多数の補助アイウエアのヒンジ部材の磁気的結合を示す概ね線４０−４０に沿った横断面図である。
【図１】
2007505280.tif 000003
【図２】
2007505280.tif 000004
【図３】
2007505280.tif 000005
【図４】
2007505280.tif 000006
【図５】
2007505280.tif 000007
【図６】
2007505280.tif 000008
【図７】
2007505280.tif 000009
【図８】
2007505280.tif 000010
【図９】
2007505280.tif 000011
【図１０】
2007505280.tif 000012
【図１１】
2007505280.tif 000013
【図１２】
2007505280.tif 000014
【図１３】
2007505280.tif 000015
【図１４】
2007505280.tif 000016
【図１５】
2007505280.tif 000017
【図１６】
2007505280.tif 000018
【図１７】
2007505280.tif 000019
【図１８】
2007505280.tif 000020
【図１９】
2007505280.tif 000021
【図２０】
2007505280.tif 000022
【図２１】
2007505280.tif 000023
【図２２】
2007505280.tif 000024
【図２３】
2007505280.tif 000025
【図２４】
2007505280.tif 000026
【図２５】
2007505280.tif 000027
【図２６】
2007505280.tif 000028
【図２７】
2007505280.tif 000029
【図２８】
2007505280.tif 000030
【図２９】
2007505280.tif 000031
【図３０】
2007505280.tif 000032
【図３１】
2007505280.tif 000033
【図３２】
2007505280.tif 000034
【図３３】
2007505280.tif 000035
【図３４】
2007505280.tif 000036
【図３５】
2007505280.tif 000037
【図３６】
2007505280.tif 000038
【図３７】
2007505280.tif 000039
【図３８】
2007505280.tif 000040
【図３９】
2007505280.tif 000041
【図４０】
2007505280.tif 000042
【国際調査報告】
2007505280.tif 000043
2007505280.tif 000044